(57)【要約】【課題】熱伝達抑制効果に優れるとともに、機械的強度にも優れた熱伝達抑制シート、特に組電池に適した組電池用熱伝達抑制シートを提供する。【解決手段】本発明の熱伝達抑制シート１は、発熱体３０に近接又は少なくとも一部が接触して設置される熱伝達抑制シート１であって、第１の断熱層１０及び第２の断熱層１１を有し、第１の断熱層１０及び第２の断熱層１１の間に、金属層２０が挟設されている。また、本発明の組電池用熱伝達抑制シートは、複数の電池セルを直列又は並列に接続した組電池における、電池セル間に介在される組電池用熱伝達抑制シートであって、第１の断熱層及び第２の断熱層を有し、第１の断熱層及び第２の断熱層の間に、金属層が挟設されているとともに、金属層が、シート厚み方向における前記シートの中央に位置する。【選択図】図１
2020165483.tif 000002
【特許請求の範囲】
【請求項１】
発熱体に近接又は少なくとも一部が接触して設置される熱伝達抑制シートであって、
第１の断熱層及び第２の断熱層を有し、
前記第１の断熱層及び前記第２の断熱層の間に、金属層が挟設されている、
熱伝達抑制シート。
【請求項２】
前記第１の断熱層と前記第２の断熱層とは厚さが異なり、
前記金属層が、シート厚み方向における前記シートの中央位置よりも前記発熱体側に位置する、請求項１に記載の熱伝達抑制シート。
【請求項３】
前記金属層の端部が、前記第１の断熱層の端面及び前記第２の断熱層の端面の少なくとも一方から外方に突出している、請求項１又は２に記載の熱伝達抑制シート。
【請求項４】
前記金属層が、金属箔、金属メッシュ又は金属シートである、請求項１〜３のいずれか１項に記載の熱伝達抑制シート。
【請求項５】
前記金属層が、金属メッシュである、請求項４に記載の熱伝達抑制シート。
【請求項６】
複数の電池セルを直列又は並列に接続した組電池における、前記電池セル間に介在される組電池用熱伝達抑制シートであって、
第１の断熱層及び第２の断熱層を有し、
前記第１の断熱層及び前記第２の断熱層の間に、金属層が挟設されているとともに、
前記金属層が、シート厚み方向における前記シートの中央に位置する、
組電池用熱伝達抑制シート。
【請求項７】
前記金属層の端部が、前記第１の断熱層の端面及び前記第２の断熱層の端面の少なくとも一方から外方に突出している、請求項６に記載の組電池用熱伝達抑制シート。
【請求項８】
前記金属層が、金属箔、金属メッシュ又は金属シートである、請求項６又は７記載の組電池用熱伝達抑制シート。
【請求項９】
前記金属層が、金属メッシュである、請求項８に記載の組電池用熱伝達抑制シート。
【請求項１０】
隣接する前記金属層同士が、前記電池セルを跨いで連結されている、請求項６〜９のいずれか１項に記載の組電池用熱伝達抑制シート。
【請求項１１】
複数の電池セルを直列又は並列に接続した組電池であって、請求項６〜９のいずれか１項に記載の組電池用熱伝達抑制シートを、前記電池セル間に介在させた、組電池。
【請求項１２】
隣接する前記金属層同士が、前記電池セルを跨いで連結されている、請求項１１に記載の組電池。
【発明の詳細な説明】
【技術分野】
【０００１】
本発明は、熱伝達抑制シート、組電池の電池セル間に介在させる組電池用熱伝達抑制シート、及び組電池用熱伝達抑制シートを電池セル間に介在させた組電池に関する。
【背景技術】
【０００２】
従来から、発熱体からの他の物体への熱伝達を抑制するために、発熱体に近接させ、又は少なくとも一部を発熱体に接触させて用いる熱伝達抑制シートが用いられている。
【０００３】
また、近年では、環境保護の観点から電動モータで駆動する電気自動車又はハイブリッド車等の開発が盛んに進められている。この電気自動車又はハイブリッド車等には、駆動用電動モータの電源となるための、複数の電池セルが直列又は並列に接続された組電池が搭載されている。
【０００４】
この電池セルには、鉛蓄電池やニッケル水素電池等に比べて、高容量かつ高出力が可能なリチウムイオン二次電池が主に用いられている。そして、高容量かつ高出力が可能な電池において、電池の内部短絡や過充電等が原因で、ある電池セルが急激に昇温し、その後も発熱を継続するような熱暴走を起こした場合、熱暴走を起こした電池セルからの熱が、隣接する他の電池セルに伝播することで、他の電池セルの熱暴走を引き起こすおそれがある。
【０００５】
上記のような熱暴走を起こした電池セルからの熱の伝播を抑制し、熱暴走の連鎖を防ぐために、電池セル間に熱伝達抑制シートを介在させることが行われている。例えば、特許文献１では、マイカ片を集結し結合したダンマ材等からなる一対の板材の間に、低熱伝導層として空気層を設けた熱伝達抑制シートが提案されている。
【先行技術文献】
【特許文献】
【０００６】
【特許文献１】特開２０１５−２１１０１３号公報
【発明の概要】
【発明が解決しようとする課題】
【０００７】
ところで組電池では、個々の電池セルが充放電を繰り返すことにより熱膨張を引き起こしており、隣接する電池セル間には押圧力が繰り返し作用している。特許文献１に記載された熱伝達抑制シートは、低熱伝導層が空気層であるため、このような繰り返し作用する押圧力に対抗する機械的強度が十分とは言えない。
【０００８】
また、熱暴走を起こした電池セルは大きく熱膨張し得るため、その際は、隣接する電池セルへの押圧力も過大となるが、特許文献１に記載された熱伝達抑制シートにおいては、熱暴走が起きた際の大きな押圧力によりダンマ材等からなる板材が破損することも懸念される。
【０００９】
そこで本発明は、熱伝達抑制効果に優れるとともに、機械的強度にも優れた熱伝達抑制シート、特に組電池に適した組電池用熱伝達抑制シートを提供することを目的とする。
【課題を解決するための手段】
【００１０】
上記の目的は、本発明に係る下記（１）の熱伝達抑制シートにより達成される。
（１）  発熱体に近接又は少なくとも一部が接触して設置される熱伝達抑制シートであって、
第１の断熱層及び第２の断熱層を有し、
前記第１の断熱層及び前記第２の断熱層の間に、金属層が挟設されている、
熱伝達抑制シート。
【００１１】
また、本発明の熱伝達抑制シートは、下記（２）〜（５）であることが好ましい。
（２）  前記第１の断熱層と前記第２の断熱層とは厚さが異なり、
前記金属層が、シート厚み方向における前記シートの中央位置よりも前記発熱体側に位置する、（１）に記載の熱伝達抑制シート。
（３）  前記金属層の端部が、前記第１の断熱層の端面及び前記第２の断熱層の端面の少なくとも一方から外方に突出している、（１）又は（２）に記載の熱伝達抑制シート。
（４）  前記金属層が、金属箔、金属メッシュ又は金属シートである、（１）〜（３）のいずれか１つに記載の熱伝達抑制シート。
（５）  前記金属層が、金属メッシュである、（４）に記載の熱伝達抑制シート。
【００１２】
上記の目的は、本発明に係る下記（６）の組電池用熱伝達抑制シートにより達成される。
（６）  複数の電池セルを直列又は並列に接続した組電池における、前記電池セル間に介在される組電池用熱伝達抑制シートであって、
第１の断熱層及び第２の断熱層を有し、
前記第１の断熱層及び前記第２の断熱層の間に、金属層が挟設されているとともに、
前記金属層が、シート厚み方向における前記シートの中央に位置する、
組電池用熱伝達抑制シート。
【００１３】
また、本発明の組電池用熱伝達抑制シートは、下記（７）〜（１０）であることが好ましい。
（７）  前記金属層の端部が、前記第１の断熱層の端面及び前記第２の断熱層の端面の少なくとも一方から外方に突出している、（６）に記載の組電池用熱伝達抑制シート。
（８）  前記金属層が、金属箔、金属メッシュ又は金属シートである、（６）又は（７）記載の組電池用熱伝達抑制シート。
（９）  前記金属層が、金属メッシュである、（８）に記載の組電池用熱伝達抑制シート。
（１０）  隣接する前記金属層同士が、前記電池セルを跨いで連結されている、（６）〜（９）のいずれか１つに記載の組電池用熱伝達抑制シート。
【００１４】
上記の目的は、本発明に係る下記（１１）の組電池により達成される。
（１１）  複数の電池セルを直列又は並列に接続した組電池であって、（６）〜（９）のいずれか１つに記載の組電池用熱伝達抑制シートを、前記電池セル間に介在させた、組電池。
【００１５】
また、本発明の組電池は、下記（１２）であることが好ましい。
（１２）  隣接する前記金属層同士が、前記電池セルを跨いで連結されている、（１１）に記載の組電池。
【発明の効果】
【００１６】
本発明の熱伝達抑制シート及び組電池用熱伝達抑制シートは、第１の断熱層と第２の断熱層との間に金属層を挟設したものであり、金属層による強度向上とともに、金属層による、シート厚み方向に垂直な方向への放熱効果により、シート厚み方向への熱伝達抑制効果にも優れる。
【００１７】
そのため、電池セル間に本発明の組電池用熱伝達抑制シートを介在せた本発明の組電池は、金属層により、電池セル間に作用する押圧力に対する耐圧性が向上する。また、第１の断熱層及び第２の断熱層による断熱性に加えて、金属層による、シート厚み方向に垂直な方向への放熱効果が加味されるため、シート厚み方向への熱伝達抑制効果も向上し、ある電池セルに熱暴走が起こったとしても、隣接する電池セルへの熱暴走の連鎖を防ぐことができる。
【図面の簡単な説明】
【００１８】
【図１】図１は、本発明に係る熱伝達抑制シートの実施形態を模式的に示す断面図である。
【図２】図２は、本発明に係る熱伝達抑制シートの他の実施形態を模式的に示す断面図である。
【図３】図３は、本発明に係る組電池用熱伝達抑制シートの実施形態を模式的に示す断面図である。
【図４】図４は、本発明に係る組電池の実施形態を模式的に示す断面図である。
【図５】図５は、本発明に係る組電池の他の実施形態を模式的に示す断面図である。
【図６】図６は、実施例で作製した供試体の積層構造を模式的に示す断面図である、
【図７】図７は、各供試体を６００℃に加熱したときの下面の表面温度を示すグラフである。
【図８】図８は、各供試体を８００℃に加熱したときの下面の表面温度を示すグラフである。
【発明を実施するための形態】
【００１９】
以下、本発明の実施形態に関して図面を参照して詳細に説明する。
【００２０】
［熱伝達抑制シート］
（シート全体構成）
図１は、本発明に係る熱伝達抑制シートの実施形態を模式的に示す断面図である。図示される熱伝達抑制シート１は、第１の断熱層１０と第２の断熱層１１との間に、金属層２０を挟設した積層体である。なお、第１の断熱層１０と金属層２０との界面、及び、第２の断熱層１１と金属層２０との界面は、耐熱性を考慮して無機バインダーを含む接着剤で貼り合わされている。なお、第１の断熱層１０と第２の断熱層１１とは厚さが異なり、図示の例では第１の断熱層１０におけるシート厚み方向の厚さＤ１が、第２の断熱層１１におけるシート厚み方向の厚さＤ２よりも大きく設定されている。したがって、金属層２０は、シート厚み方向における熱伝達抑制シート１の中央位置Ｃよりも、発熱体３０に近い位置で挟設されている。
【００２１】
そして、金属層２０は、それ自身が高い機械的強度を有することから、熱伝達抑制シート１の機械的強度を高める効果がある。
【００２２】
また、金属層２０は、その端面が外気に晒されており、発熱体３０と対向している断熱層（図の例では、第２の断熱層１１）で断熱しきれなかった熱を外気に放熱する作用がある。すなわち、金属層２０は、熱伝導性が高い材料から構成されており、シート厚み方向に垂直な方向（図中、左右方向）へ高い放熱効果を有する。このため、発熱体３０から受けた熱は、発熱体３０に対向する第２の断熱層１１において、ある程度の断熱作用を奏するが、第２の断熱層１１において断熱しきれなかった熱は、金属層２０を介してシート厚み方向に垂直な方向へ積極的に移動するため、シート厚み方向への熱伝達が抑制される。よって、金属層２０が第２の断熱層１１と接する面とは反対側の面で接する、第１の断熱層１０への熱伝達が大幅に抑制されるため、熱伝達抑制シート１から見て、発熱体３０側とは反対側にある他の物体（図示せず）への熱伝達を効果的に抑制することができる。
【００２３】
なお、金属層２０の厚さは特に制限されないが、金属層２０が薄すぎると放熱効果と補強効果が十分に得られない。よって、金属層２０の厚さは、１μｍ以上であることが好ましく、５μｍ以上であることがより好ましい。一方、金属層２０が厚すぎると、熱伝達抑制シート１の加工性が悪くなる。よって、金属層２０の厚さは、１ｍｍ以下であることが好ましく、１００μｍ以下であることがより好ましい。
【００２４】
また、熱伝達抑制シート１の厚さ（シート全厚）も特に制限されないが、熱伝達抑制シート１が薄すぎると金属層２０を有していても充分な機械的強度が得られない。よって、熱伝達抑制シート１の厚さは、０．０５ｍｍ以上であることが好ましく、０．１ｍｍ以上であることがより好ましい。一方、熱伝達抑制シート１が厚すぎると、熱伝達抑制シート１の加工性が悪くなる。よって、熱伝達抑制シート１の厚さは、５ｍｍ以下であることが好ましく、２ｍｍ以下であることがより好ましい。
【００２５】
また、熱伝達抑制シート１の全厚から金属層２０の厚さを差し引いた厚さが、第１の断熱層１０と第２の断熱層１１との合計厚（Ｄ１＋Ｄ２）となる。そして、図１に示すように、第１の断熱層１０と第２の断熱層１１とは厚さが異なり、金属層２０が、シート厚み方向における熱伝達抑制シート１の中央位置Ｃよりも、発熱体３０側に位置することが好ましい。このような構成によれば、後述する実施例で示すように、より高い熱伝達抑制効果（すなわち、断熱効果）を得ることができる。
【００２６】
さらに、熱伝達抑制シート１は、図２に示すように、金属層２０の端部２０ａが、第１の断熱層１０の端面１０ａ、及び第２の断熱層１１の端面１１ａよりも外方に突出していることが好ましい。金属層２０の端部２０ａが突出していると、外気との接触面積が広くなり、金属層２０中をシート厚み方向に垂直な方向に移動する熱の放熱効果が促進され、結果として、熱伝達抑制シート１の熱伝達抑制効果を向上できる。
【００２７】
なお、図２に示す熱伝達抑制シート１は、金属層２０の端部２０ａが、第１の断熱層１０の端面１０ａ、及び第２の断熱層１１の端面１１ａの両方から突出する例であるが、金属層２０の端部２０ａが、第１の断熱層１０の端面１０ａ、及び第２の断熱層１１の端面１１ａの少なくとも一方が外方に突出するものであってもよい。ただし、熱伝達抑制シート１の熱伝達抑制効果を効果的に得るためには、金属層２０の端部２０ａが、第１の断熱層１０の端面１０ａ、及び第２の断熱層１１の端面１１ａの両方から突出するものが好ましい。
【００２８】
（第１の断熱層及び第２の断熱層の構成材料）
第１の断熱層１０、第２の断熱層１１ともに、無機繊維を含むことが好ましい。無機繊維としては、耐熱性に優れるものが好ましく、例えばアルミナ繊維、シリカ繊維、アルミナシリケート繊維、ロックウール、マグネシウムシリケート繊維、アルカリアースシリケート繊維、ガラス繊維、ジルコニア繊維及びチタン酸カリウム繊維等が挙げられる。これらの無機繊維は、単独で使用してもよいし、２種以上を混合使用してもよい。
【００２９】
また、第１の断熱層１０、第２の断熱層１１ともに、無機粒子を含むことが好ましい。無機粒子は耐熱性の材料であれば制限はないが、無機水和物が好ましい。この無機水和物は、発熱体３０からの熱を受けて熱分解開始温度以上になると熱分解し、自身が持つ結晶水を放出して発熱体及びその周囲の温度を下げる、いわゆる「吸熱作用」を発現する。また、結晶水を放出した後は多孔質体となり、無数の空気孔により、効果的な断熱作用を発現する。
【００３０】
無機水和物の具体例として、水酸化アルミニウム（Ａｌ（ＯＨ）３）、水酸化マグネシウム（Ｍｇ（ＯＨ）２）、水酸化カルシウム（Ｃａ（ＯＨ）２）、水酸化亜鉛（Ｚｎ（ＯＨ）２）、水酸化鉄（Ｆｅ（ＯＨ）２）、水酸化マンガン（Ｍｎ（ＯＨ）２）、水酸化ジルコニウム（Ｚｒ（ＯＨ）２）、水酸化ガリウム（Ｇａ（ＯＨ）３）等が挙げられる。
【００３１】
例えば、水酸化アルミニウムは約３５％の結晶水を有しており、下記式に示すように、熱分解して結晶水を放出して吸熱作用を発現する。そして、結晶水を放出した後は多孔質体であるアルミナ（Ａｌ２Ｏ３）となり、断熱材として機能する。
２Ａｌ（ＯＨ）３→Ａｌ２Ｏ３＋３Ｈ２Ｏ
【００３２】
無機粒子として、単一の無機水和物粒子を使用してもよいし、２種以上の無機水和物粒子を組み合わせて使用してもよい。無機水和物は種類により熱分解開始温度が異なるため、２種以上の無機水和物粒子を併用することにより、発熱体３０を多段に冷却することができ、吸熱作用をより広い温度範囲で発現できる。
【００３３】
また、無機粒子は、平均粒子径が大きすぎると、第１の断熱層１０及び第２の断熱層１１の中心付近にある無機粒子に熱が伝わり難くなる。そのため、無機粒子が無機水和物の場合、熱分解開始温度に達するまでに時間を要し、吸熱作用が発現され難く、熱伝達抑制効果が低下するおそれがある。このため、無機粒子は、２次粒子の平均粒子径で０．０１〜１００μｍであることが好ましく、０．０５〜５０μｍがより好ましい。
【００３４】
さらに、無機粒子は、大径粒子と小径粒子とを混合使用することも好ましい。大径の無機粒子間の隙間に小径の無機粒子が入り込み、より緻密構造となり、熱伝達抑制効果が高まる。
【００３５】
（無機粒子及び無機繊維の各含有量）
無機粒子、無機繊維の各含有量は、断熱層を構成する材料の全量に対して、無機粒子が３０〜９５質量％、無機繊維が３〜３０質量％が好ましい。より好ましくは、無機粒子が６０〜９０質量％、無機繊維が５〜１５質量％である。このような含有量とすることにより、無機粒子による吸熱効果及び断熱効果、無機繊維による保形性や無機粒子の保持能力がバランス良く発現される。
【００３６】
（他の配合材料）
第１の断熱層１０及び第２の断熱層１１には、必要に応じて、有機繊維や有機バインダー等を配合することができる。これらは、いずれも第１の断熱層１０、第２の断熱層１１、更には熱伝達抑制シート１の補強や成形性の向上を目的とする上で有用であり、シート全量に対して合計量で１０質量％以下が好ましい。
【００３７】
なお、いずれもその種類には制限はないが、有機繊維としては、パルプ、ポリエステル繊維等を挙げることができる。また、有機バインダーとしては、高分子凝集剤やアクリルエマルジョン等を挙げることができる。
【００３８】
その他にも、無機バインダーや不織布等の可撓性シートを含んでもよい。無機バインダーは無機繊維の表面に付着することで第１の断熱層１０、第２の断熱層１１の面圧を高めたり、断熱性を向上させることができる。可能性シートは、第１の断熱層１０、第２の断熱層１１の割れを防ぐ効果がある。
【００３９】
（シートの製造方法）
第１の断熱層１０及び第２の断熱層１１は、例えば、少なくとも無機粒子及び無機繊維を含む材料を、乾式成形法又は湿式成形法により型成形して製造され得る。
【００４０】
＜乾式成形法を用いて製造する場合＞
乾式成形法では、無機粒子、無機繊維、更に必要に応じて有機繊維や有機バインダーを所定の割合でＶ型混合機等の混合機に投入する。そして、混合機に投入された材料を充分に混合した後、この混合物を所定の型内に投入し、プレス成形する。プレス成形時に、必要に応じて加熱してもよい。
【００４１】
なお、プレス成形時のプレス圧は、０．９８〜９．８０ＭＰａの範囲であることが好ましい。プレス圧が０．９８ＭＰａ未満であると、強度を保つことができずに崩れてしまうおそれがある。一方、プレス圧が９．８０ＭＰａを超えると、過度の圧縮によって加工性が低下したり、かさ密度が高くなるため固体伝熱が増加し、断熱性が低下するおそれがある。
【００４２】
＜湿式成形法を用いて製造する場合＞
湿式成形法では、水に、無機粒子、無機繊維を加えて撹拌して充分に分散させる。次いで、凝集剤を添加して、一次凝集体を得る。次に、必要に応じて有機バインダーを上記水中に添加した後、高分子凝集剤を添加することにより凝集体を含むスラリーを得る。
【００４３】
そして、上記スラリーを所定の型内へ投入して湿潤シートを得る。得られた膨潤シートを乾燥することにより、第１の断熱層１０及び第２の断熱層１１が得られる。
【００４４】
上述のように、第１の断熱層１０及び第２の断熱層１１は、乾式成形法又は湿式成形法のいずれによっても得られるが、一体成形の容易性や機械的強度の点から湿式成形法を用いることが好ましい。
【００４５】
（金属層）
金属層２０は、熱伝導率が高く、機械的強度に優れるものが好ましいが、安価であり、入手しやすく、加工性に優れる等の理由から、アルミニウムやステンレス（ＳＵＳ）、金、銀、銅、スズ、チタン合金、ニッケル合金等を用いることができる。また、金属層２０は、金属箔や金属メッシュ（織物）、金属シート等の形態とすることができる。特に、第１の断熱層１０や第２の断熱層１１を構成する無機繊維と絡み合いやすく、熱伝達抑制シート１の積層構造が崩れにくく、シートの取り扱い性が向上することから、金属層２０は金属メッシュであることが好ましい。
【００４６】
［組電池用熱伝達抑制シート］
本発明に係る組電池用熱伝達抑制シートは、その基本構造が図１に示した熱伝達抑制シート１と同様である。すなわち、図３に示すように、組電池用熱伝達抑制シート１Ａは、第１の断熱層１０Ａと第２の断熱層１１Ａとの間に、金属層２０Ａを挟設した積層体である。
【００４７】
ただし、図１に示した熱伝達抑制シート１では、発熱体３０と対向する第２の断熱層１１の厚さＤ２を、第１の断熱層１０の厚さＤ１よりも薄くすることにより、金属層２０が、シート厚み方向における熱伝達抑制シート１の中央位置Ｃよりも、発熱体３０に近い位置で挟設されるようにしている。これに対し、組電池用熱伝達抑制シート１Ａでは、組電池において電池セル間に介在され、左右両隣のいずれの側の電池セルが熱暴走を起こして発熱体になるのか定かではないため、第１の断熱層１０Ａの厚さＤ３と、第２の断熱層１１Ａの厚さＤ４を同一にして、シート厚み方向における組電池用熱伝達抑制シート１Ａの中央位置Ｃに金属層２０Ａが位置するようにする。これにより、電池セル間に組電池用熱伝達抑制シート１Ａを介在させたときに、金属層２０Ａが電池セル間の中央に位置し、左右両隣の電池セルのいずれに対しても熱暴走への対応が可能になる。
【００４８】
なお、図示は省略するが、組電池用熱伝達抑制シート１Ａにおいても、図２に示すように、金属層２０Ａの端部を第１の断熱層１０Ａ、及び第２の断熱層１１Ａの端面よりも外方に突出させて放熱を促進させ、組電池用熱伝達抑制シート１Ａの熱伝達抑制効果を向上できる。また、組電池用熱伝達抑制シート１Ａにおいても、金属層２０Ａの端部が、第１の断熱層１０Ａの端面、及び第２の断熱層１１Ａの端面の少なくとも一方から外方に突出するものであってもよい。
【００４９】
第１の断熱層１０Ａ、第２の断熱層１１Ａ、金属層２０Ａの各構成材料や製造方法は、熱伝達抑制シート１について上記した内容と同様であり、ここでは省略する。
【００５０】
［組電池］
本発明に係る組電池は、電池セル間に、上記の組電池用熱伝達抑制シート１Ａを介在させたものである。具体的には、図４に示すように、組電池１００は、複数個の電池セル１０１を並設し、直列又は並列に接続して電池ケース１０２に収容したものであり、電池セル１０１間に、組電池用熱伝達抑制シート１Ａが介在されている。
【００５１】
組電池用熱伝達抑制シート１Ａでは、第１の断熱層１０Ａと第２の断熱層１１Ａとが同じ厚さであるため、金属層２０Ａが組電池用熱伝達抑制シート１Ａの厚み方向中央に位置している。したがって、組電池用熱伝達抑制シート１Ａの左右両隣のいずれの電池セル１０１に対しても、熱暴走を起こした際の発熱に対する熱伝達抑制に効果的に対応することができる。
【００５２】
また、ある電池セル１０１においては、隣接する電池セル１０１からの押圧力が常時作用しているが、この押圧力に対する耐圧性も金属層２０Ａにより十分に付与される。
【００５３】
なお、図示は省略するが、第１の断熱層１０Ａや第２の断熱層１１Ａの各端面よりも金属層２０Ａの端部を外方に突出させて放熱を促進させることができる。
【００５４】
さらに、図５に示すように、隣接する金属層２０Ａ同士が、電池セル１０１を跨いで連結されていることが好ましい。隣接する金属層２０Ａ同士を連結するにあたっては、金属層２０Ａと同種で連結してもよく、又は異種の金属で連結してもよい。図５において、連結部分を符号２１Ａで示す。この連結部２１Ａにより金属層２０Ａの外気との接触面積が大きくなり、金属層２０Ａによる、シート厚み方向に垂直な方向への放熱効果がより高まる。なお、図示は省略するが、金属層２０Ａの端部が突出している場合には、端部の端面同士を連結するのがよい。
【００５５】
ところで、熱暴走を起こした電池セル１０１では、２００℃を超えるような温度に急激に昇温する。上記した無機水和物の熱分解開始温度は、水酸化アルミニウムは約２００℃、水酸化マグネシウムは約３３０℃、水酸化カルシウムは約５８０℃、水酸化亜鉛は約２００℃、水酸化鉄は約３５０℃、水酸化マンガンは約３００℃、水酸化ジルコニウムは約３００℃、水酸化ガリウムは約３００℃であり、いずれも熱暴走を起こした電池セル１０１の急激な昇温の温度範囲とほぼ重なり、温度上昇を効率よく抑えることができる。このことから、組電池用熱伝達抑制シート１Ａにおいては、第１の断熱層１０Ａ及び第２の断熱層１１Ａの構成材料となる無機粒子として無機水和物が好ましいといえる。
【実施例】
【００５６】
以下、実施例を挙げて本発明を更に説明するが、本発明はこれにより何ら制限されるものではない。
【００５７】
（供試体の作製）
イビデン株式会社製「ＦＬＥＣＳ−Ｖ４．０」を所定形状に打ち抜き、厚さが７ｍｍの第１の断熱材２０１、厚さが３．５ｍｍの第２の断熱材２０２、厚さが０．７ｍｍの第３の断熱材２０３、及び厚さが６．３ｍｍの第４の断熱材２０４を作製した。
【００５８】
また、金属層２１０として、厚さ１０μｍのステンレス箔を用意した。
【００５９】
そして、図６に示すように、第１の断熱材２０１、第２の断熱材２０２、第３の断熱材２０３、第４の断熱材２０４及び金属層２１０を適宜積層し、熱伝達抑制シートとしての各種の供試体（供試体１〜６）を作製した。なお、供試体１〜６の構成は下記のとおりであり、いずれも断熱層の合計厚は同一であり（断熱層部分の厚さ：１４ｍｍ）、供試体１〜５は金属層２１０を含めた全厚も同一である。また、供試体６は、金属層２１０を有さない分だけ、供試体１〜５よりも全厚が少し薄くなっている。
【００６０】
・供試体１：下層側から順に、「第１の断熱材２０１／第１の断熱材２０１／金属層２１０」となる積層体
・供試体２：下層側から順に、「第１の断熱材２０１／第４の断熱材２０４／金属層２１０／第３の断熱材２０３」となる積層体
・供試体３：下層側から順に、「第１の断熱材２０１／第２の断熱材２０２／金属層２１０／第２の断熱材２０２」となる積層体
・供試体４：下層側から順に、「第１の断熱材２０１／金属層２１０／第１の断熱材２０１」となる積層体
・供試体５：下層側から順に、「第２の断熱材２０２／金属層２１０／第２の断熱材２０２／第１の断熱材２０１」となる積層体
・供試体６：第１の断熱材２０１を２層に重ねた積層体
【００６１】
（熱伝達抑制効果の評価）
図６に示すように、各供試体１〜６の上方にヒーター３００を配置し、各供試体１〜６における、ヒーター３００と対向する面とは反対側の面（図６中、下面４００）の表面温度を測定した。なお、各供試体１〜６及びヒーター３００は、断熱容器（断熱ブロック）に収容して外部からの熱の影響を排除している。
【００６２】
ヒーター３００による加熱温度が６００℃の場合の下面４００の表面温度の測定結果を図７に、ヒーター３００による加熱温度が８００℃の場合の下面４００の表面温度の測定結果を図８に、それぞれ示す。図７、図８ともに同様の傾向を示しており、金属層２１０の無い供試体６の下面４００の表面温度が最も高く、シート厚み方向における熱伝達抑制効果が最も低くなっている。
【００６３】
次いで、ヒーター３００と対向する表面に金属層２１０を積層した供試体１の下面４００の温度が高く、シート厚み方向における熱伝達抑制効果が低くなっている。
【００６４】
金属層２１０の位置は、供試体２→供試体３→供試体４→供試体５の順に、ヒーター３００から遠ざかっているが、ヒーター３００に近いほど下面４００の表面温度が低く、シート厚み方向における熱伝達抑制効果が高いことがわかる。
【００６５】
また、供試体４は、金属層２１０がシート厚み方向におけるシートの中央位置にあるが、これよりも金属層２１０がヒーター３００から離れている供試体５の方が、シート厚み方向における熱伝達抑制効果が低くなっていることがわかる。
【００６６】
上記結果から、熱伝達抑制シートにおいて、第１の断熱層と第２の断熱層との間に金属層を挟設したもの（供試体２〜５）が、金属層が無い場合（供試体６）や、金属層を有するものの熱源と対向する面に金属層を積層した場合（供試体１）に比べて、シート厚み方向における熱伝達抑制効果が大幅に向上することがわかる。また、金属層が、シート厚み方向におけるシートの中央位置よりも熱源に近い位置であれば（供試体２〜３）、より高い熱伝達抑制効果が得られるといえる。
【００６７】
また、上記熱伝達抑制シートを組電池用熱伝達抑制シートに適用した場合、供試体４のように、シート厚み方向におけるシートの中央位置に金属層があれば、十分な熱伝達抑制効果が得られる。
【符号の説明】
【００６８】
１      熱伝達抑制シート
１０    第１の断熱層
１０ａ  第１の断熱層の端面
１１    第２の断熱層
１１ａ  第２の断熱層の端面
２０    金属層
２０ａ  金属層の端部
３０    発熱体
１Ａ    組電池用熱伝達抑制シート
１０Ａ  第１の断熱層
１１Ａ  第２の断熱層
２０Ａ  金属層
２１Ａ  連結部
１００  組電池
１０１  電池セル
１０２  電池ケース
【図１】
2020165483.tif 000003
【図２】
2020165483.tif 000004
【図３】
2020165483.tif 000005
【図４】
2020165483.tif 000006
【図５】
2020165483.tif 000007
【図６】
2020165483.tif 000008
【図７】
2020165483.tif 000009
【図８】
2020165483.tif 000010